(57)【要約】      （修正有）【課題】バネ手段を利用することなく、取り扱いが容易で、水平状態に於いても把持可能な、ローラで紙、書類等を挟着するローラ式クリップボードを提供する。【解決手段】ボード表面にローラを把持するためのローラ把持具３，４を２個設け、ローラ把持具は曲率半径の異なるローラ把持具頂部とローラ把持具端部の２段構造から構成され、ローラ把持具頂部の曲率半径はローラ把持具端部の曲率半径よりも大きく、ローラの心棒７，８をローラ把持具頂部からローラ把持具端部へと回転移動させることにより、紙、書類等をローラで挟着可能とするローラ式クリップボード。【選択図】図１
0003108509.tif 000002
【実用新案登録請求の範囲】
【請求項１】
ローラにより紙、書類等を挟着するクリップボードにおいて、ボード表面にローラを把持するためのローラ把持具を設け、前記ローラ把持具でローラの心棒を把持することによりローラの把持を可能とするものであって、前記ローラ把持具は曲率半径の異なるローラ把持具頂部とローラ把持具端部の２段構造から構成され、ローラ把持具頂部の曲率半径はローラ把持具端部の曲率半径よりも大きく、かつ、ローラ把持具はローラ把持具端部で開放され、前記ローラの心棒を前記ローラ把持具頂部からローラ把持具端部へと回転移動させることにより、紙、書類等をローラで挟着可能とするローラ式クリップボード。
【請求項２】
前記ローラの直径が７〜２０ｍｍであることを特徴とする請求項１に記載のローラ式クリップボード。
【請求項３】
前記ローラの表面が、ゴム、スポンジ、ポリウレタン、軟質ポリ塩化ビニールから成る群から選択される一種の材質から構成されることを特徴とする請求項１又は請求項２に記載のローラ式クリップボード。
【請求項４】
前記ボードのローラ把持具端部下付近に高さ０．２〜１．５ｍｍの突起をローラの長さ方向、ボード表面に設けたこと特徴とする請求項１から請求項３のいずれかに記載のローラ式クリップボード。
【請求項５】
ボードの裏面全面に円形の窪み状に彫刻したディンプルパターンを設けたことを特徴とする請求項１から請求項４のいずれかに記載のローラ式クリップボード。
【請求項６】
前記ディンプルパターンの直径が１０〜２２ｍｍであることを特徴とする請求項１から請求項４のいずれかに記載のローラ式クリップボード。
【考案の詳細な説明】
【技術分野】
【０００１】
本考案は、ローラ式クリップボードに関する。更に詳細には、ローラを回転移動させて紙、書類等を挟着するクリップボードに関する。
【背景技術】
【０００２】
クリップボードは、紙ばさみとして知られ、紙、書類等を保持する目的に使用される。クリップボードの多くのものは、バネ式のものである。バネ式のクリップボードにおいては、紙、書類を挟んだり、取り出したりする際には、バネ手段（機構）を押圧してクリップ部を開ける必要がある。この際に、比較的大きな力を必要とする。
【０００３】
一方、紙、書類の出し入れに便利なクリップボードとして、ローラを使用するものも提案されている。垂直に立てた台板に対して、自由に回転する円筒がメモ用紙を挟み押さえる構造において、円筒の移動を制限し且つ傾斜角度により、円筒が重力によって生じる力の分力により、メモ用紙を押さえるようにしたメモ用紙挟みが実開昭５３−７６０２５号公報に記載されている。クリップ板（用箋挟）に於いてクリップした一番上の用紙をワンタッチで抜き取るローラクリップ板が実開昭５５−１３０８６９号公報に記載されている。金具を持ち上げることなく一番上の用箋を引っ張るだけで取り外すことができるローラ付用箋挟みが実開昭５６−１７１７１号公報に記載されている。台、カバーより成り、台の裏面にテープ（または磁石）を、張り付けたバネ材の代わりにローラを用いたメモホルダーが実開昭６２−１５７２７８号公報に記載されている。プレートとこれに圧接する球又はロール及び球又はロールの保持手段並びにバネ手段にて構成された片手操作で薄葉物を損傷することなく係止する薄葉物クリップ装置が特開昭５５−１５８５１号公報に記載されている。表示画面を有する開閉自在な筐体の突端部に紙類の保持機能を具備する棒状片と突出部の係止片に一体形成された舌片と、筐体の内面に形成された突状長舌部に係合し収納自在に滑動する溝状舌片を具備する紙類保持具と、紙類保持具の一端に、収納時のカバーを係止するねじに係合する鋏部を形成してなる、紙類保持具付きワードプロセッサーが特開平３−３８７１１号公報に記載されている。また、例えばアクリル製の丸棒やアルミパイプからなるローラの転動体を配設した原稿用紙や各種資料紙等を一時的に挟持保持し、更に、保持した用紙から用済みの１枚ずつを順次に取り出す機能を備えたペーパーホルダーが特開２００４−１６０９５３号公報に記載されている。
【０００４】
【特許文献１】実開昭５３−７６０２５号公報
【特許文献２】実開昭５５−１３０８６９号公報
【特許文献３】実開昭５６−１７１７１号公報
【特許文献４】実開昭６２−１５７２７８号公報
【特許文献５】特開昭５５−１５８５１号公報
【特許文献６】特開平３−３８７１１号公報
【特許文献７】特開２００４−１６０９５３号公報
【０００５】
以上のように、ローラを利用したクリップボードは多数提案されているが、種々の問題がある。実開昭５３−７６０２５号公報に記載されているメモ用紙挟みは、ローラの両端でローラの回転を制限しているので、はさめる紙の量が少なく、また、台板を水平にしたときには、ローラが移動して紙が保持できないという問題がある。実開昭５５−１３０８６９号公報に記載のローラクリップ板は、ローラを使用しているが、実質的にはスプリング（バネ手段）で紙等を挟着するものである。実開昭５６−１７１７１号公報に記載されているローラ付用箋挟みは、基本的には実開昭５５−１３０８６９号公報の記載のローラクリップ板と同様に、ローラを使用しているが、実質的には押圧部（バネ手段）で紙等を挟着するものである。実開昭６２−１５７２７８号公報に記載されているメモホルダーは、実開昭５３−７６０２５号公報記載のメモ用紙挟みと同様に、台板を水平にしたときには、ローラが移動して紙が保持できないという問題がある。特開昭５５−１５８５１号公報に記載されている薄葉物クリップ装置は、プレートに圧接する球又はロールの保持手段で紙を挟着するが、この保持手段はバネ手段にてプレートに圧接している。特開平３−３８７１１号公報に記載されている紙類保持具付きワードプロセッサーは、棒状片（ローラ）により紙を挟着するものであるが、実開昭５３−７６０２５号公報記載のメモ用紙挟みと同様に、台板を水平にしたときには、ローラが移動して紙が保持できないという問題がある。特開２００４−１６０９５３号公報に記載されているペーパーホルダーは、実開昭５３−７６０２５号公報記載のメモ用紙挟みと同様に、台板を水平にしたときには、ローラが移動して紙が保持できないという問題がある。
【０００６】
以上述べたように、既に知られているローラを利用するクリップボードは、垂直にした状態では便利に使用できるものであるが、水平にした場合には、紙等を保持できなくなるという問題がある。水平でも紙等の保持を可能にしたものは、保持手段として強力なバネ手段も利用している。強力なバネ手段を利用する場合には、バネ手段を操作するために、かなりの力を必要とする。バネ手段の助けを借りずに、ローラのみで紙、書類等を保持するクリップボードは知られていない。また、ローラで把持乃至挟着するクリップボードでは、挟着する紙がメモ用紙程度の小さいなものになってしまう場合が多い。
【考案の開示】
【考案が解決しようとする課題】
【０００７】
本考案は、以上の問題を解消した、バネ手段を利用することなく、取り扱いが容易で、水平状態に於いても把持可能な、ローラで紙、書類等を挟着するローラ式クリップボードを提供するものである。従来のクリップボードのように、紙、書類の出し入れに際し、大きな力をかけることなく、容易に紙、書類等を挟着でき、そして、小さいメモ用紙から、Ａ４版等のフルサイズの紙もを把持、挟着することができるクリップボードを提供しようとするものである。
【課題を解決するための手段】
【０００８】
本考案の要旨は、ローラにより紙、書類等を挟着するクリップボードにおいて、ボード表面にローラを把持するためのローラ把持具を設け、ローラ把持具でローラの心棒を把持することによりローラの把持を可能とするものであって、ローラ把持具は曲率半径の異なるローラ把持具頂部とローラ把持具端部の２段構造から構成され、ローラ把持具頂部の曲率半径はローラ把持具端部の曲率半径よりも大きく、かつ、ローラ把持具はローラ把持具端部で開放され、ローラの心棒をローラ把持具頂部からローラ把持具端部へと回転移動させることにより、紙、書類等をローラで挟着可能とするローラ式クリップボードである。
【０００９】
前記ローラの直径は７〜２０ｍｍであることが好ましい。更には、直径を１０〜１５ｍｍとするのがより好ましい。また、ローラの表面は、ゴム、スポンジ、ポリウレタン、軟質ポリ塩化ビニールから成る群から選択される一種の材質から構成されることが好ましい。そして、ボードのローラ把持具端部下付近に高さ０．２〜１．５ｍｍの突起をローラの長さ方向、ボード表面に設けることができる。突起の高さは、０．３〜１．０ｍｍ程度とするがより好ましい。更に、ボードの裏面全面に球面状に彫刻したディンプルパターンを設けることができる。このディンプルパターンの直径は１０〜２２ｍｍにするのが好ましい。
【考案の効果】
【００１０】
本考案は、挟着用のバネ手段（機構）を利用することなく、取り扱いが容易で、水平状態に於いても把持可能な、ローラで紙、書類等を挟着するローラ式クリップボードである。詳しくは、ボード表面にローラを把持するためのローラ把持具を設け、該ローラ把持具は曲率半径の異なるローラ把持具頂部とローラ把持具端部の２段構造から構成され、ローラ把持具頂部の曲率半径はローラ把持具端部の曲率半径よりも大きく、前記ローラの心棒を前記ローラ把持具頂部からローラ把持具端部へと回転移動させることにより、紙、書類等をローラで挟着可能とするローラ式クリップボードである。従来のクリップボードに比較し、紙、書類の出し入れに際し、大きな力をかけることなく、容易に紙、書類等を挟着できる。即ち、本考案のローラ式クリップボードは、取り扱いが容易で、水平状態に於いても紙、書類等を把持することができ、紙、書類の出し入れに際し、大きな力をかけることなく、容易に紙、書類等を挟脱着できるという効果を奏する。
【考案を実施するための最良の形態】
【００１１】
本考案を実施形態に基づいて説明する。図１に本考案の主要部を示した。クリップボード１のボード（台）２の上に紙置部６があり、この部分に紙や書類が置かれる。図１では、紙が置かれた状態を示している。紙や書類を挟着する部位は、ローラ把持具３、４及び心棒７、８付きローラ５から構成される。ローラ把持具３、４は、ローラ５の両端に配設された心棒７、８を係止することにより、ローラ５を把持する。
【００１２】
ローラ把持具３、４は、図２に示したように、２個の曲率半径の異なるローラ把持部位をもつ二段構造となっている。即ち、ローラ把持具頂部１１及びローラ把持具端部１２の二段構造をとっている。ローラ把持具頂部１１はローラ把持具３の立ち上がり部位に位置し、ローラ把持具端部１２はローラ把持具３の末端に位置し開放されている。そして、ローラ把持具頂部１１の高さはローラ把持具端部１２のそれよりも高いものとなっている。即ち、ローラ把持具頂部１１の曲率半径は、ローラ把持具端部１２のそれよりも大きいものとなっている。ローラ５がローラ把持具頂部１１に位置しているときは、ローラ５は余裕をもって回転移動が可能であるが、ローラ５がローラ把持具端部１２に位置するときは、ローラ５はその心棒７、８がローラ把持具端部１２に押圧されその回転移動は抑制され、ローラ５は固定される。但し、このローラの固定は、永久に固定するものではなく、やや強い力でローラを回転させ、ローラを例えば、ローラ把持具頂部の位置に移動させることもできる。このように、ローラの心棒７、８をローラ把持具３、４が把持することにより、ロールによる紙、書類等のクリップボードへの挟脱着を可能にする。また、これに伴い、バネ手段などの余分な部品がないので、クリップボード自体をコンパクトにしている。
【００１３】
紙をクリップボードに挟着する場合は、ボード２の上に置かれた紙６を所定の位置に置き、ローラ５をローラ把持具頂部１１の位置に配する。しかる後に、ローラ５を回転移動させて、ローラ心棒７、８をローラ把持具端部１２の位置にもってくる。この位置では、ローラ５は、その心棒７、８がローラ把持具端部１２により係止され、それに伴い紙もクリップボード１上に把持、固定される。ローラ５の回転移動は、ローラ５を転がすだけなので、大きな力を必要としない。小さな子供、熟年者でも、簡単に紙等をクリップボードに挟着することができるし、更には、握力の弱い年寄りまでが使用できる。また、紙、書類等をクリップボードから取り出すときには、ローラ５を回転移動させて、ローラ把持具端部１２の位置からローラ把持具頂部１１の位置にもってくる。ローラ５をローラ把持具頂部１１の位置にもってくることにより、大きな力を必要とすることなく、紙、書類等を容易に取り出すことができる。
【００１４】
ローラ５は、プラスチック、紙、金属や木等から製造することができる。そして、ローラ５の表面は、少なくともその表面は、ゴム、スポンジ、軟質ポリ塩化ビニール、ポリウレタン等の材質から構成されるのが好ましい。このためには、ローラ自身をゴム、スポンジ、軟質ポリ塩化ビニール、ポリウレタン等から選択される材質で構成してもよいし、ローラ自身は他の材質で製造しその表面にゴム、スポンジ、軟質ポリ塩化ビニール、ポリウレタン等からなる被膜を被覆してもよい。これらの材質からなる表面をもつことにより、ローラ５はその下に置かれた紙との間に摩擦が生じ、紙、書類等を滑らすことなく、確実に挟着することができる。ローラ５の大きさは、直径が７〜２０ｍｍ程度とするのがよい。ローラの直径は１０〜１５ｍｍにするのが更に好ましい。ローラの直径が大きかったり、小さかったりすると、紙や書類の挟着が困難になるからである。
【００１５】
ローラ把持具３は、弾性を有する材質から製造するのがよい。ローラ把持具３に弾性をもたせることにより、ローラ５のローラ把持具端部１２による把持を確実なものとすることができるとともに、挟着する紙や書類の量の多少の量の変化に対応することができる。
【００１６】
クリップボード１のローラ把持具３の下に突起１３を設けることができる。突起１３は、ボード２の巾方向、言い換えればローラの長さ方向に、紙の巾程度の長さ、ないし、紙の巾よりも少し長めに設ける。突起の高さは、０．５〜１．５ｍｍ程度である。この高さは、０．３〜１．０ｍｍにするのが更に好ましい。この突起は、紙や書類の移動を防止する効果がある。突起の高さは、高すぎると挟着した紙、書類に例えば、記入するような場合には邪魔になり、また、低すぎると紙、書類等の移動防止効果が減じるからである。突起１３は、紙、書類等をクリップボードに挟着する場所付近である、ローラ把持具３の下に設けるのがよい。紙、書類の中央部やその付近に設けると、挟着した紙、書類に例えば、記入するような場合には邪魔になる。また、突起１３は、例えば、連続した三角錐筒状に設けてもよいし、複数の三角錘を点在させてもよい。
【００１７】
クリップボード１の裏面には、図３に示したような、ディンプルパターン１４を設けることができる。このディンプルパターン１４の大きさは、直径が１０〜２２ｍｍ程度であり、円形の窪み状に彫刻したものである。ディンプルパターン１４を設けることにより、クリップボード１自身の重量が軽くなるとともに、ディンプルパターン１４に指先がフィットし、クリップボード１が持ちやすいものとなる。更に、指先がディンプルパターン１４部にかかり、クリップボード１を手に持つ際、クリップボード自体を落としにくいものとする効果もある。ディンプルパターンは、図３に示したように、円形状の窪みである。即ち、窪みが球面状になるように彫刻してもよいし、円筒状に彫刻したものでもよい。
【産業上の利用可能性】
【００１８】
本考案のローラ式クリップボードは、ボード表面にローラを把持するためのローラ把持具を設け、該ローラ把持具は曲率半径の異なるローラ把持具頂部とローラ把持具端部の２段構造から構成され、ローラ把持具頂部の曲率半径はローラ把持具端部の曲率半径よりも大きくしたもので、前記ローラの心棒を前記ローラ把持具頂部からローラ把持具端部へと回転移動させることにより、紙、書類等をローラで挟着することができる。更に、ボードの裏面に球面状に彫刻したディンプルパターンを設けることができる。この結果、本考案のローラ式クリップボードは、紙、書類等の挟着に大きな力を必要とせずに、紙、書類等を挟着することができ、更には、クリップボード自身の重量を軽くすることもできる。このように、本考案のクリップボードは、大人から子供までの万人向けであるばかりではなく、熟年者、更には、握力の弱い年寄りまでが使用でき、広い産業領域に亘って利用することができる。
【図面の簡単な説明】
【００１９】
【図１】本発明のクリップボードの主要部を示す図である
【図２】ローラ把持具を示す図である
【図３】ボード裏面に設けるディンプルパターンの一部を示す図である
【符号の説明】
【００２０】
１            クリップボード
２            ボード（台）
３、４        ローラ把持具
５            ローラ
６            紙置部又は紙
７、８        心棒
１１          ローラ把持具頂部
１２          ローラ把持具端部
１３          突起
１４          ディンプルパターン
【図１】
0003108509.tif 000003
【図２】
0003108509.tif 000004
【図３】
0003108509.tif 000005